(57)【要約】      （修正有）【課題】光学機能性膜の厚さを低減することができ、これにより、製造コストを低減し、かつ、輝度を低減することなく、容量も低減される両面ディスプレイモジュールを提供する。【解決手段】２枚の光学機能性膜を有する両面ディスプレイモジュールは、両面ディスプレイパネル１１、照明モジュール１２及び表示制御装置１３を含む。両面ディスプレイパネルは、２つの反対の位置に配置されたディスプレイパネル１１１ａ、１１１ｂ、光ガイドモジュール及び２枚の光学機能性膜１１２、１１２’を含む。光学機能性膜のそれぞれは、第１の変換層、第２の変換層、拡散層、輝度強化層及び偏光層を含み、光学機能性膜のそれぞれの層は、転写コーティングプロセスにより、相互に結合されている。【選択図】図１
0003203192.tif 000002
【実用新案登録請求の範囲】
【請求項１】
光学機能性膜を有する両面ディスプレイモジュールであって、
第１のディスプレイパネル、
前記第１のディスプレイパネルの上に、プリズム構造の上面及び平坦底面を有し点光を線光に変換して変換結果を出力する第１の変換層、プリズム構造の上面及び平坦底面を有し当該第１の変換層からの線光を面光に変換して変換結果を出力する第２の変換層、平坦上面及び平坦底面を有し当該第２の変換層からの面光を均質化する拡散層を、当該順序で堆積させてなる厚さ０．４ｍｍ〜１．４ｍｍの第１の光学機能性膜、
前記第１の光学機能性膜の上に堆積させた光ガイドモジュール、
前記光ガイドモジュールの上に、プリズム構造の上面及び平坦底面を有し点光を線光に変換して変換結果を出力する第１の変換層、プリズム構造の上面及び平坦底面を有し当該第１の変換層からの線光を面光に変換して変換結果を出力する第２の変換層、平坦上面及び平坦底面を有し当該第２の変換層からの面光を均質化する拡散層を、当該順序で堆積させてなり、前記第１の光学機能性膜とともに当該第１の変換層で前記光ガイドモジュールに結合された厚さ０．４ｍｍ〜１．４ｍｍの第２の光学機能性膜、及び
前記第２の光学機能性膜の上に堆積させてなる、前記第１のディスプレイパネルのディスプレイスクリーン方向と１８０度異なったディスプレイスクリーン方向を有する第２のディスプレイパネル
を有する両面ディスプレイと、
前記両面ディスプレイの一方の側に堆積されて当該両面ディスプレイの前記光ガイドモジュールに点光を発光する照明モジュールと、
前記第１のディスプレイパネル及び前記第２のディスプレイパネルに電気的に接続されて、前記両面ディスプレイに電力及び信号を出力する表示制御装置と、
を備えたことを特徴とする、光学機能性膜を有する両面ディスプレイモジュール。
【請求項２】
前記第１の変換層の前記上面と前記第２の変換層の前記平坦底面とは、それぞれの端部で相互に結合されて、双方の面の間に空隙が形成され、
前記拡散層の前記平坦底面と前記第２の変換層の前記上面とは、それぞれの端部で相互に結合されて、双方の面の間に空隙が形成される
ことを特徴とする請求項１に記載の光学機能性膜を有するディスプレイモジュール。
【請求項３】
前記第１の光学機能性膜は、平坦上面、及び、前記拡散層の前記平坦上面と第１の光セメントで相互に結合される平坦底面を有する輝度強化層をさらに有することを特徴とする請求項２に記載の光学機能性膜を有するディスプレイモジュール。
【請求項４】
前記第１の光学機能性膜は、前記第１のディスプレイパネルの底面の上に堆積される平坦上面、及び、前記輝度強化層の前記平坦上面と第２の光セメントで相互に結合される平坦底面を有する偏光層をさらに有することを特徴とする請求項３に記載の光学機能性膜を有するディスプレイモジュール。
【請求項５】
前記第１の変換層の前記上面と前記第２の変換層の前記平坦底面とは、第３の光セメントで相互に結合されて、双方の面の間に空隙が存在せず、
前記拡散層の前記平坦底面と前記第２の変換層の前記上面とは、空隙を含まない第４の光セメントで相互に結合されて、双方の面の間に空隙が存在しない
ことを特徴とする請求項１に記載の光学機能性膜を有するディスプレイモジュール。
【請求項６】
前記第１の光学機能性膜は、平坦上面、及び、前記拡散層の前記平坦上面と第５の光セメントで相互に結合される平坦底面を有する輝度強化層をさらに有することを特徴とする請求項５に記載の光学機能性膜を有するディスプレイモジュール。
【請求項７】
前記第１の光学機能性膜は、前記第１のディスプレイパネルの前記底面の上に堆積される平坦上面、及び、前記輝度強化層の前記平坦上面と第６の光セメントで相互に結合される平坦底面を有する偏光層をさらに有することを特徴とする請求項６に記載の光学機能性膜を有するディスプレイモジュール。
【請求項８】
前記第１の光セメントは、屈折率を整合させるセメントであることを特徴とする請求項３に記載の光学機能性膜を有するディスプレイモジュール。
【請求項９】
前記第２の光セメントは、屈折率を整合させるセメントであることを特徴とする請求項４に記載の光学機能性膜を有するディスプレイモジュール。
【請求項１０】
前記第３及び前記第４の光セメントは、屈折率を整合させるセメントであることを特徴とする請求項５に記載の光学機能性膜を有するディスプレイモジュール。
【請求項１１】
前記第５の光セメントは、屈折率を整合させるセメントであることを特徴とする請求項６に記載の光学機能性膜を有するディスプレイモジュール。
【請求項１２】
前記第６の光セメントは、屈折率を整合させるセメントであることを特徴とする請求項７に記載の光学機能性膜を有するディスプレイモジュール。
【請求項１３】
前記光ガイドモジュールは、前記第１の光学機能性膜の上に堆積される第１の光ガイドプレートと、当該第１の光ガイドプレートに隣接するとともに前記第２の光学機能性膜の上に堆積される第２の光ガイドプレートとを有することを特徴とする請求項１に記載の光学機能性膜を有するディスプレイモジュール。
【請求項１４】
前記第１のディスプレイパネル及び前記第２のディスプレイパネルは、半透過型液晶ディスプレイパネルであることを特徴とする請求項１に記載の光学機能性膜を有するディスプレイモジュール。
【考案の詳細な説明】
【技術分野】
【０００１】
本考案は、ディスプレイモジュールに関連し、特に、光学機能性膜を有する両面ディスプレイモジュールに関する。
【背景技術】
【０００２】
科学の進展に従い、容易な可搬性及び配列のための低容量化が、液晶ディスプレイの開発のトレンドになっている。液晶ディスプレイは、携帯型ディスプレイ、屋外又は屋内のショーのための大規模なディスプレイ、デスクトップディスプレイ又は自動車ディスプレイ等、様々な分野に適用されるが、アプリケーションに拘わらず、液晶ディスプレイの容量及びコストの低減は、常に解決されるべき問題である。
【０００３】
現在、２つの液晶ディスプレイをコントローラで同時に制御する両面液晶ディスプレイが開発されている。背合わせのタイプが、２台の液晶ディスプレイの一般的なデザインであり、そのうち一方は、メイン画面であり、他方は補助スクリーンである。多くの鑑賞者に対する大規模なショーと、公務員と依頼人の両方に対して視聴の便宜を図る管理政府サービスの入口の両方に対して、この両面液晶ディスプレイを適用することができる。
【考案の概要】
【考案が解決しようとする課題】
【０００４】
ディスプレイのためのバックライトモジュールの内部コンポーネントは、主に、照明要素、光ガイドプレート、光変換膜、拡散膜及び輝度強化膜から成る。光変換膜、拡散膜及び輝度強化膜を含むこれらの個別的な光学部品は、組立を必要とし、組立中に、部品間の整合を考慮する必要がある。更に、光性能の効率を高めるため、組立の最中に、これらの光学部品の間に空隙を前もって確保する必要がある。
しかしながら、光が空隙を有する光経路を通過すると、散乱及び反射のために強度をロスする場合がある。従って、空隙を有する構造は、液晶ディスプレイの厚さを増すのみならず、液晶ディスプレイの輝度の低下も引き起こし得る。従って、ディスプレイ輝度を保持することを考慮しつつこれらの光学部品の厚みを低減することが、関心事となっている。
【課題を解決するための手段】
【０００５】
現在の欠点を解決するために、光学機能性膜を有する両面ディスプレイモジュールが提供される。第１の変換層、第２の変換層、輝度強化層、拡散層、及び偏光層（分極層）を含む光学機能性膜の複数の構成部品を、反射指数に整合させ、かつ、転写コーティングプロセスで形成する方法によって一体化する。前記のアプローチは、ディスプレイモジュールの輝度を犠牲にせずに光学機能性膜の厚さ及び両面ディスプレイモジュールの全容量を低減することができる。
【０００６】
本考案は、光学機能性膜を有する両面ディスプレイモジュールを提供する。この両面ディスプレイモジュールは、第１のディスプレイパネル、第１のディスプレイパネル上に堆積された厚さ０．４ｍｍ〜１．４ｍｍの第１の光学機能性膜、第１の光学機能性膜上に堆積された光ガイドモジュール、光ガイドモジュール上に堆積された厚さ０．４ｍｍ〜１．４ｍｍの第２の光学機能性膜、及び、第２の光学機能性膜上に堆積された第２のディスプレイパネル、を含む両面ディスプレイと、両面ディスプレイの一方の側に堆積され、両面ディスプレイの光ガイドモジュールに点光を発光するように構成される、照明モジュールと、両面ディスプレイの第１のディスプレイパネル及び第２のディスプレイパネルに電気的に接続され、両面ディスプレイに電力及び信号を出力する、表示制御装置と、を備え、第１の光学機能性膜及び第２の光学機能性膜は、それぞれが、プリズム構造の上面及び平坦底面を有し、点光を線光に変換して、その線光を出力するように構成される、第１の変換層と、プリズム構造の上面及び平坦底面を有し、第１の変換層上に堆積され、第１の変換層からの線光を面光に変換して、その面光を出力するように構成される、第２の変換層と、平坦上面及び平坦底面を有し、第２の変換層上に堆積され、第２の変換層からの面光を均質化するように構成される、拡散層と、を備え第１の光学機能性膜及び第２の光学機能性膜は、第１の変換層で光ガイドモジュールにそれぞれ結合され、第１のディスプレイパネルのディスプレイスクリーン方向は、第２のディスプレイパネルのディスプレイスクリーン方向とは１８０度異なっていることを特徴とする。
【０００７】
光学機能性膜を有するディスプレイモジュールにおいて、第１の変換層の上面と第２の変換層の底面とは、それぞれの端部で相互に結合され、第１の変換層の上面と第２の変換層の底面との間には、空隙が形成され、拡散層の平坦底面と第２の変換層の上面とは、それぞれの端部で相互に結合され、拡散層の平坦底面と第２の変換層の上面との間には、空隙が形成される。
【０００８】
光学機能性膜を有するディスプレイモジュールにおいて、第１の光学機能性膜は、輝度強化層をさらに備え、輝度強化層は、平坦上面及び平坦底面を含み、輝度強化層の平坦底面及び拡散層の平坦上面は、第１の光セメントで相互に結合される。
【０００９】
光学機能性膜を有するディスプレイモジュールにおいて、第１の光学機能性膜は、偏光層（分極層）をさらに備え、偏光層は、平坦上面及び平坦底面を含み、偏光層の平坦底面と輝度強化層の平坦上面とは、第２の光セメントで相互に結合され、偏光層の上面は、第１のディスプレイパネルの底面上に堆積される。
【００１０】
光学機能性膜を有するディスプレイモジュールにおいて、第１の変換層の上面と第２の変換層の底面とは、第３の光セメントで相互に結合され、第１の変換層の上面と第２の変換層の底面との間には、空隙は存在せず、拡散層の平坦底面と第２の変換層の上面とは、空隙を含まない第４のセメントで相互に結合され、拡散層の平坦底面と第２の変換層の上面との間には、空隙は存在しない。
【００１１】
光学機能性膜を有するディスプレイモジュールにおいて、第１の光学機能性膜は、輝度強化層をさらに備え、輝度強化層は、平坦上面及び平坦底面を有し、輝度強化層の平坦底面と拡散層の平坦上面とは、第５の光セメントで相互に結合される。
【００１２】
光学機能性膜を有するディスプレイモジュールにおいて、第１の光学機能性膜は、偏光層をさらに備え、偏光層は、平坦上面及び平坦底面を備え、偏光層の平坦底面と輝度強化層の平坦上面とは、第６の光セメントで相互に結合され、偏光層の上面は、第１のディスプレイパネルの底面上に堆積される。
【００１３】
光学機能性膜を有するディスプレイモジュールにおいて、第１、第２、第３、第４、第５、及び第６の光セメントは、屈折率を整合させるセメントである。
【００１４】
光学機能性膜を有するディスプレイモジュールにおいて、光ガイドモジュールは、第１の光ガイドプレートと、第１の光ガイドプレートに隣接した第２の光ガイドプレートとを備え、第１の光ガイドプレートは、第１の光学機能性膜上に堆積され、第２の光ガイドプレートは、第２の光学機能性膜上に堆積される。
【００１５】
光学機能性膜を有するディスプレイモジュールにおいて、第１のディスプレイパネル及び第２のディスプレイパネルは、半透過型液晶ディスプレイパネルである。
【００１６】
本考案の光学機能性膜によるディスプレイモジュールは、第１の変換層、第２の変換層、輝度強化層、拡散層及び偏光層（分極層）を含む光学機能性膜の構成部品を、転写コーティングプロセスにより、かつ、屈折率に整合させることによって、一体化し、これにより、ディスプレイモジュールの輝度を犠牲にせずに、光学機能性膜の厚さ及び両面ディスプレイモジュールの全容量を低減することが可能となる。
【００１７】
本考案の上記の目的及び利点は、以下の詳細な説明及び添付の図面を検討することで、当業者に容易に明らかになる。
【図面の簡単な説明】
【００１８】
【図１】本考案に従った両面ディスプレイモジュールを例示する側面概略図である。
【図２】本考案に従った第１の典型的な両面ディスプレイモジュールの光学機能性膜を例示する側面概略図である。
【図３】本考案に従った第２の典型的な両面ディスプレイモジュールの光学機能性膜を例示する側面概略図である。
【図４】本考案に従った第３の典型的な両面ディスプレイモジュールの光学機能性膜を例示する側面概略図である。
【図５】本考案に従った第４の典型的な両面ディスプレイモジュールの光学機能性膜を例示する側面概略図である。
【図６】本考案に従った第５の典型的な両面ディスプレイモジュールの光学機能性膜を例示する側面概略図である。
【図７】本考案に従った第６の典型的な両面ディスプレイモジュールの光学機能性膜を例示する側面概略図である。
【図８】本考案に従った他の両面ディスプレイモジュールを例示する側面概略図である。
【考案を実施するための形態】
【００１９】
本考案は、両面ディスプレイモジュールに関する。照明要素による一部の照明技術及び両面ディスプレイモジュールにおいて用いられるディスプレイパネルによるディスプレイ技術は、当業者には適切に理解されるため、以下の各パラグラフにおいては、詳細な説明を行わないこととする。さらに、ここに記載された実施形態は、図面を参照することによりよく理解されるが、図面が必ずしも正確な比率ではなく、層及び領域のサイズ及び相対的なサイズは、明瞭さのために、誇張し得るものとする。
【００２０】
本考案は、光学機能性膜を有する両面ディスプレイモジュールに関し、特に、両面ディスプレイ、光モジュール及び表示制御装置を含む両面ディスプレイモジュールに関する。
【００２１】
図１は、本考案に従った両面ディスプレイモジュールを例示する概略図である。
【００２２】
図１に示すように、本考案の両面ディスプレイモジュールは、両面ディスプレイ１１と、照明モジュール１２と、表示制御装置１３とを含む。照明モジュール１２は、両面ディスプレイ１１の一方の側に堆積され、その位置は、両面ディスプレイ１１の表示を妨げないようにされている。表示制御装置１３は、両面ディスプレイ１１に電気的に接続され、照明モジュール１２は、点光で両面ディスプレイ１１を照射する。表示制御装置１３は、当業者によく知られる周知の方法によって、両面ディスプレイ１１に電力及び信号を出力する。
【００２３】
再び図１を参照する。両面ディスプレイ１１は、第１のディスプレイパネル１１１ａと、第２のディスプレイパネル１１１ｂと、第１の光学機能性膜１１２と、第２の光学機能性膜１１２’と、光ガイドモジュールとから成り、この光ガイドモジュールは、第１の光ガイドプレート１１３ａと、第２の光ガイドプレート１１３ｂとを含む。
第１のディスプレイパネル１１１ａのディスプレイスクリーン方向は、第２のディスプレイパネル１１１ｂの一方とは１８０度異なっている。第１のディスプレイパネル１１１ａの一方の側は、電気及びデータ信号を伝送するために、適切な方法によって、表示制御装置１３に電気的に接続される。第１の光学機能性膜１１２は、第１のディスプレイパネル１１１ａ上に堆積され、第１の光ガイドプレート１１３ａは、第１の光学機能性膜１１２上にあり、第１の光ガイドプレート１１３ａの光導波表面（ディスプレイパネルの方へ光を導波するための出力表面）は、第１の光学機能性膜１１２に対向している。第２の光ガイドプレート１１３ｂは、第１の光ガイドプレート１１３ａ上に堆積され、第２の光ガイドプレート１１３ｂの光導波表面は、第２の光学機能性膜１１２’に対向している。
第１の光ガイドプレート１１３ａの光導波表面及び第２の光ガイドプレート１１３ｂの光導波表面は、背中合わせの態様に配列される。第２の光学機能性膜１１２’は、第２の光ガイドプレート１１３ｂ上に堆積され、第２のディスプレイパネル１１１ｂは、第２の光学機能性膜１１２’上に堆積される。第２のディスプレイパネル１１１ｂの一方の側は、電気及びデータ信号を伝送するために適切な方法により、表示制御装置１３に電気的に接続されるが、この方法に限定されるものではない。
【００２４】
次いで、再び図１を参照する。照明モジュール１２は、第１の光ガイドプレート１１３ａ及び第２の光ガイドプレート１１３ｂの上へ、点光を発光する。第１の光ガイドプレート１１３ａ及び第２の光ガイドプレート１１３ｂは、点光の方向を変化させて点光を導波し、この導波された点光を、第１の光学機能性膜１１２及び第２の光学機能性膜１１２’の表面に対して垂直線となる一方向に平行に並列させるように、構成される。
第１の光ガイドプレート１１３ａ及び第２の光ガイドプレート１１３ｂは、点光をそれぞれ、第１の光学機能性膜１１２及び第２の光学機能性膜１１２’に導波する。次いで、第１の光学機能性膜１１２及び第２の光学機能性膜１１２’は、点光を線光に、そして、線光を面光に、順々に変換し、次いで面光を、第１の光学機能性膜１１２及び第２の光学機能性膜１１２’により、光学的に処理する。最後に、第１の光学機能性膜１１２及び第２の光学機能性膜１１２’は、処理された面光を、表示のため、第１のディスプレイパネル１１１ａ及び第２のディスプレイパネル１１１ｂに、それぞれ、出力する。
【００２５】
ここ及び後に言及される点照明は、点光源から発光される光に等しい。同様に、ここ及び後に言及される面光は、面光源から発光される光に等しく、また、ここ及び後に言及される線光は、線光源から発光される光に等しい。
【００２６】
次に、図２は、本考案に従った第１の典型的な両面ディスプレイモジュール１の第１の光学機能性膜１１２ａを例示する側面概略図である。第２の光学機能性膜１１２’の構成部品が第１の光学機能性膜１１２ａのものと同じであるので、以下のパラグラフには第１の光学機能性膜１１２ａの構成部品のみ示す。
【００２７】
図２に示すように、第１の光学機能性膜１１２ａは、第１の変換層１１２１と、第２の変換層１１２３と、拡散層１１２５とを含む。第１の変換層１１２１及び第２の変換層１１２３は共に、上面及び底面を有している。拡散層１１２５は、平坦上面及び平坦底面を含む。第１の変換層１１２１及び第２の変換層１１２３の両方の上面は、４０〜１４０度の範囲のプリズム角を有するプリズム構造である。
第１の変換層１１２１の構成方向は、第２の変換層１１２３の一方と直交する。第１の変換層１１２１の上面及び第２の変換層１１２３の平坦底面は、それらのそれぞれの端部で、転写コーティングプロセスにより、相互に結合し、第１の変換層１１２１の上面と第２の変換層１１２３の底面との間には、空隙１１２２ａが形成されている。拡散層１１２５の平坦底面及び第２の変換層１１２３の上面は、それらのそれぞれの端部で、転写コーティングプロセスにより相互に結合され、拡散層１１２５の平坦底面と第２の変換層１１２３の上面との間には、空隙１１２４ａが形成されている。
拡散層１１２５の上面は、第１のディスプレイパネル１１１ａの底面の上へ結合され、又は、堆積される。第１の変換層１１２１は、照明モジュール１２から発光される点照明を線光に変換し、第２の変換層１１２３は、第１の変換層１１２１からの線光を面光に変換し、この面光を、拡散層１１２５の上へと出力する。拡散層１１２５は、第２の変換層１１２３から面光を受けて、この面光を均質化して、より均質な光にする。
拡散層１１２５は、画面を表示するために、均質化された面光を第１のディスプレイパネル１１１ａに出力する。同様に、第２の光学機能性膜１１２’の構成部品は、第１の光学機能性膜１１２ａのものと同じである。第２の光学機能性膜１１２’の拡散層１１２５の上面は、第２のディスプレイパネル１１１ｂの底面の上に結合され、又は堆積され、第２の光学機能性膜１１２’の拡散層１１２５は、均質化された面光を第２のディスプレイパネル１１１ｂに出力する。
【００２８】
次に、図３は、本考案に従った第２の典型的な両面ディスプレイモジュール１の第１の光学機能性膜１１２ｂを示す側面概略図である。第２の光学機能性膜１１２’の構成部品は、第１の光学機能性膜１１２ｂの構成部品と同じであるため、第１の光学機能性膜１１２ｂの構成部品のみ、次の１パラグラフに例示する。
【００２９】
図３に示すように、第１の光学機能性膜１１２ｂは、第１の変換層１１２１と、第２の変換層１１２３と、拡散層１１２５とを含む。第１の変換層１１２１及び第２の変換層１１２３は共に、上面及び底面を有する。拡散層１１２５は、平坦上面及び平坦底面を含む。第１の変換層１１２１及び第２の変換層１１２３の両方の上面は、４０〜１４０度の範囲のプリズム角を有するプリズム構造である。
第１の変換層１１２１の構成方向は、第２の変換層１１２３の一方と直交する。第１の変換層１１２１の上面と第２の変換層１１２３の底面との間の空隙が、光セメント１１２２ｂで充填されている。すなわち、第１の変換層１１２１の上面と、第２の変換層１１２３の平坦底面とは、空隙を含ませずに転写コーティングプロセスにより、光セメント１１２２ｂで、相互に結合される。
拡散層１１２５の平坦底面と、第２の変換層１１２３の上面とは、空隙を含ませずに転写コーティングプロセスにより、光セメント１１２４ｂで、相互に結合される。拡散層１１２５の上面は、第１のディスプレイパネル１１１ａの底面上へ、結合され又は堆積される。第１の変換層１１２１は、照明モジュール１２から発光される点照明を線光に変換し、第２の変換層１１２３は、第１の変換層１１２１からの線光を面光に変換して、その面光を、拡散層１１２５上に出力する。拡散層１１２５は、第２の変換層１１２３から面光を受けて、この面光を均質化して、より均質な光にする。
拡散層１１２５は、画面を表示するために、均質化された面光を第１のディスプレイパネル１１１ａに出力する。同様に、第２の光学機能性膜１１２’の構成部品は、第１の光学機能性膜１１２ｂの構成部品と同じである。第２の光学機能性膜１１２’の拡散層１１２５の上面は、第２のディスプレイパネル１１１ｂの底面の上に結合され、又は堆積され、第２の光学機能性膜１１２’の拡散層１１２５は、均質化された面光を第２のディスプレイパネル１１１ｂに出力する。
【００３０】
次に、図４は、本考案に従った第３の典型的な両面ディスプレイモジュール１の第１の光学機能性膜１１２ｃを示す側面概略図である。第２の光学機能性膜１１２’の構成部品は第１の光学機能性膜１１２ｃの構成部品と同じであるため、第１の光学機能性膜１１２ｃの構成部品のみ、次の１パラグラフにおいて例示する。
【００３１】
図４を参照する。第１の光学機能性膜１１２ｃは、第１の変換層１１２１と、第２の変換層１１２３と、拡散層１１２５と、輝度強化層１１２７とを含む。第１の変換層１１２１及び第２の変換層１１２３は共に、上面及び底面を有する。拡散層１１２５は、平坦上面及び平坦底面を含む。輝度強化層１１２７は、平坦上面及び平坦底面を有する。第１の変換層１１２１及び第２の変換層１１２３の上面は、４０〜１４０度の範囲のプリズム角を有するプリズム構造である。
第１の変換層１１２１の構成方向は、第２の変換層１１２３の一方と直交する。第１の変換層１１２１の上面と、第２の変換層１１２３の平坦底面とは、転写コーティングプロセスにより、それぞれの端部で相互に結合され、第１の変換層１１２１の上面と第２の変換層１１２３の平坦底面との間には、空隙１１２２ｃが形成されている。拡散層１１２５の平坦底面及び第２の変換層１１２３の上面は、それらのそれぞれの端部で、転写コーティングプロセスにより相互に結合され、拡散層１１２５の平坦底面と第２の変換層１１２３の上面との間には、空隙１１２４ｃが形成されている。輝度強化層１１２７の底面と、拡散層１１２５の上面とは、空隙を含まない光セメント１１２６ｃで、転写コーティングプロセスにより相互に結合される。
輝度強化層１１２７の上面は、第１のディスプレイパネル１１１ａの底面の上に結合され又は堆積される。第１の変換層１１２１は、照明モジュール１２から発光される点照明を線光に変換し、その線光を第２の変換層１１２３に出力する。第２の変換層１１２３は、第１の変換層１１２１からの線光を面光に変換し、その面光を拡散層１１２５上へと出力する。拡散層１１２５は、第２の変換層１１２３からの面光を受けて、この面光を均質化する。拡散層１１２５は、均質化された面光を、輝度強化層１１２７に出力する。輝度強化層１１２７は、拡散層１１２５から面光を受けて、その面光の輝度を高める。
次に、輝度強化層１１２７は、輝度強化の後、画面を表示するために、第１のディスプレイパネル１１１ａに対して、面光を出力する。同様に、第２の光学機能性膜１１２’の構成部品は、第１の光学機能性膜１１２ｃの構成部品と同じである。第２の光学機能性膜１１２’の輝度強化層１１２７の上面は、第２のディスプレイパネル１１１ｂの底面上に結合され又は堆積され、第２の光学機能性膜１１２’の輝度強化層１１２７は、輝度が高められた面光を、第２のディスプレイパネル１１１ｂに出力する。
【００３２】
次に、図５は、本考案に従った第４の典型的な両面ディスプレイモジュール１の第１の光学機能性膜１１２ｄを示す側面概略図である。第２の光学機能性膜１１２’の構成部品は、第１の光学機能性膜１１２ｄの構成部品と同じであるため、第１の光学機能性膜１１２ｄの構成部品のみ、次の１パラグラフにおいて例示する。
【００３３】
図５に示すように、第１の光学機能性膜１１２ｄは、第１の変換層１１２１と、第２の変換層１１２３と、拡散層１１２５と、輝度強化層１１２７とを含む。第１の変換層１１２１及び第２の変換層１１２３は共に、上面及び底面を有する。拡散層１１２５は、平坦上面及び平坦底面を含む。輝度強化層１１２７は、平坦上面及び平坦底面を有する。第１の変換層１１２１及び第２の変換層１１２３の上面は、４０〜１４０度の範囲のプリズム角を有するプリズム構造である。
第１の変換層１１２１の構成方向は、第２の変換層１１２３の一方と直交する。第１の変換層１１２１の上面と、第２の変換層１１２３の平坦底面とは、空隙を含まない光セメント１１２２ｄで、転写コーティングプロセスにより、相互に結合される。拡散層１１２５の平坦底面と、第２の変換層１１２３の上面とは、空隙を含まない光セメント１１２４ｄで、転写コーティングプロセスにより、相互に結合される。輝度強化層１１２７の平坦底面と、拡散層１１２５の上面とは、空隙を含まない光セメント１１２６ｄで、転写コーティングプロセスにより、相互に結合される。
輝度強化層１１２７の上面は、第１のディスプレイパネル１１１ａの底面の上に結合され又は堆積される。第１の変換層１１２１は、照明モジュール１２から発光される点照明を線光に変換し、その線光を第２の変換層１１２３に出力し、第２の変換層１１２３は、第１の変換層１１２１からの線光を面光に変換して、その面光を、拡散層１１２５上に出力する。拡散層１１２５は、第２の変換層１１２３からの面光を受けて、この面光を均質化する。拡散層１１２５は、均質化された面光を、輝度強化層１１２７に出力する。輝度強化層１１２７は、拡散層１１２５から面光を受け、拡散層１１２５からのその面光の輝度を高める。
輝度強化層１１２７は、画面を表示するために、輝度の強化された面光を、第１のディスプレイパネル１１１ａに出力する。同様に、第２の光学機能性膜１１２’の構成部品は、第１の光学機能性膜１１２ｄの構成部品と同じである。第２の光学機能性膜１１２’の輝度強化層１１２７の上面は、第２のディスプレイパネル１１１ｂの底面上に結合され又は堆積され、第２の光学機能性膜１１２’の輝度強化層１１２７は、輝度の強化された面光を、第２のディスプレイパネル１１１ｂに出力する。
【００３４】
次に、図６は、本考案に従った第５の典型的な両面ディスプレイモジュール１の第１の光学機能性膜１１２ｅを示す側面概略図である。第２の光学機能性膜１１２’の構成部品は、第１の光学機能性膜１１２ｅの構成部品と同じであるため、第１の光学機能性膜１１２ｅの構成部品のみ、次の１パラグラフにおいて例示する。
【００３５】
図６に示すように、第１の光学機能性膜１１２ｅは、第１の変換層１１２１と、第２の変換層１１２３と、拡散層１１２５と、輝度強化層１１２７と、偏光層１１２９とを含む。第１の変換層１１２１及び第２の変換層１１２３は共に、上面及び底面をそれぞれ有する。拡散層１１２５は、平坦上面及び平坦底面を含む。輝度強化層１１２７は、平坦上面及び平坦底面を有する。偏光層１１２９は、平坦上面及び平坦底面を有する。第１の変換層１１２１及び第２の変換層１１２３の上面は、４０〜１４０度の範囲のプリズム角を有するプリズム構造である。
第１の変換層１１２１の構成方向は、第２の変換層１１２３の一方と直交する。第１の変換層１１２１の上面と、第２の変換層１１２３の平坦底面とは、転写コーティングプロセスにより、それぞれの端部で相互に結合され、第１の変換層１１２１の上面と第２の変換層１１２３の底面との間には、空隙１１２２ｅが形成されている。拡散層１１２５の平坦底面及び第２の変換層１１２３の上面は、それらのそれぞれの端部で、転写コーティングプロセスにより相互に結合され、拡散層１１２５の平坦底面と第２の変換層１１２３の上面との間には、空隙１１２４ｅが形成されている。輝度強化層１１２７の平坦底面と、拡散層１１２５の上面とは、空隙を含まない光セメント１１２６ｅで、転写コーティングプロセスにより、相互に結合される。輝度強化層１１２７の上面と、偏光層１１２９の上面とは、空隙を含まない光セメント１１２８ｅで、転写コーティングプロセスにより、相互に結合される。
偏光層１１２９の上面は、第１のディスプレイパネル１１１ａの底面上に結合され又は堆積される。第１の変換層１１２１は、照明モジュール１２から発光される点照明を線光に変換し、その線光を第２の変換層１１２３に出力し、第２の変換層１１２３は、第１の変換層１１２１からの線光を面光に変換して、その面光を、拡散層１１２５上に出力する。拡散層１１２５は、第２の変換層１１２３から面光を受けて、この面光を均質化して、より均質な光にする。輝度強化層１１２７は、第２の変換層１１２３からの均質化された面光の輝度を、強化するように構成される。
偏光層１１２９は、輝度の強化された面光を受けて、これを偏光に変換し、次いで、画面を表示するために、偏光されたる面光を、第１のディスプレイパネル１１１ａに出力する。同様に、第２の光学機能性膜１１２’の構成部品は、第１の光学機能性膜１１２ｅの構成部品と同じである。第２の光学機能性膜１１２’の偏光層１１２９の上面は、第２のディスプレイパネル１１１ｂの底面の上へ取り付けられる又は堆積され、そして、第２の光学機能性膜１１２’の偏光層１１２９は、偏光された面光を第２のディスプレイパネル１１１ｂに出力する。
【００３６】
次に、図７は、本考案に従った第６の典型的な両面ディスプレイモジュール１の第１の光学機能性膜１１２ｆを示す側面概略図である。第２の光学機能性膜１１２’の構成部品は、第１の光学機能性膜１１２ｆの構成部品と同じであるため、第１の光学機能性膜１１２ｆの構成部品のみ、次の１パラグラフにおいて例示する。
【００３７】
図７に示すように、第１の光学機能性膜１１２ｆは、第１の変換層１１２１と、第２の変換層１１２３と、拡散層１１２５と、輝度強化層１１２７と、偏光層１１２９とを含む。第１の変換層１１２１及び第２の変換層１１２３は共に、上面及び底面をそれぞれ有する。拡散層１１２５は、平坦上面及び平坦底面を含む。輝度強化層１１２７は、平坦上面及び平坦底面を有する。偏光層（分極層）１１２９は、平坦上面及び平坦底面を有する。第１の変換層１１２１及び第２の変換層１１２３の上面は、４０〜１４０度の範囲のプリズム角を有するプリズム構造である。
第１の変換層１１２１の構成方向は、第２の変換層１１２３の一方と直交する。第１の変換層１１２１の上面と、第２の変換層１１２３の平坦底面とは、空隙を含まない光セメント１１２２ｆで、転写コーティングプロセスにより、相互に結合される。拡散層１１２５の平坦底面と、第２の変換層１１２３の上面とは、空隙を含まない光セメント１１２４ｆで、転写コーティングプロセスにより、相互に結合される。輝度強化層１１２７の底面と、拡散層１１２５の上面とは、空隙を含まない光セメント１１２６ｆで、転写コーティングプロセスにより、相互に結合される。偏光層１１２９の底面と、輝度強化層１１２７の上面とは、空隙を含まない光セメント１１２８ｆで、転写コーティングプロセスにより、相互に結合される。
偏光層１１２９の上面は、第１のディスプレイパネル１１１ａの底面上に結合され又は堆積される。第１の変換層１１２１は、照明モジュール１２から発光される点照明を線光に変換し、第２の変換層１１２３は、第１の変換層１１２１からの線光を面光に変換する。拡散層１１２５は、第２の変換層１１２３から面光を受けて、この面光を均質化して、より均質な光にする。輝度強化層１１２７は、拡散層１１２５からの均質化された面光の輝度を強化するように構成される。
偏光層１１２９は、輝度強化層１１２７から、輝度の強化された面光を受けて、これを偏光に変換し、次いで、偏光された面光を、画面を表示するために、第１のディスプレイパネル１１１ａに出力する。同様に、第２の光学機能性膜１１２’の構成部品は、第１の光学機能性膜１１２ｆの構成部品と同じである。第２の光学機能性膜１１２’の偏光層１１２９の上面は、第２のディスプレイパネル１１１ｂの底面の上へ結合され又は堆積され、第２の光学機能性膜１１２’の偏光層１１２９は、偏光された面光を、第２のディスプレイパネル１１１ｂに出力する。
【００３８】
最後に、図８は、本考案に従った他の両面ディスプレイモジュール１’を示す側面概略図である。両面ディスプレイモジュール１’は、図１の両面ディスプレイと同様に説明することができ、両面ディスプレイ１１’の例示は、図１の両面ディスプレイと一致し得るものである。第１の光学機能性膜１１２及び第２の光学機能性膜１１２’の大部分の記載は、図２〜７におけるこれらと類似しているが、図８においては、ただ１つだけ、光ガイドプレート１１３’の数において差がある。図８では、１つの単体である光ガイドプレート１１３’は、２つの光導波型表面（ディスプレイパネルの出力表面の方へと光を導波する）を有し、そして、２つの光導波表面は、第１の光学機能性膜１１２及び第２の光学機能性膜１１２’に、それぞれ対向する。
【００３９】
前述の実施形態では、第１の変換層１１２１及び第２の変換層１１２３の材料は、アクリルなどの樹脂等の高分子ポリマーであるが、本考案では、これらに限定されない。
【００４０】
前述の実施形態では、光セメント１１２２ｂ、１１２４ｂ、１１２６ｃ、１１２２ｄ、１１２４ｄ、１１２６ｄ、１１２６ｅ、１１２８ｅ、１１２２ｆ、１１２５ｆ、１１２６ｆ又は１１２８ｆは、屈折率を整合させるセメントである。第１の変換層１１２１と第２の変換層１１２３との間の、光セメント１１２２ｂ、光セメント１１２２ｄ、及び、光セメント１１２２ｆは、それぞれ、約１．３５〜１．４８の屈折率を有し、第２の変換層１１２３と拡散層１１２５との間の、光セメント１１２４ｂ、光セメント１１２４ｄ及び光セメント１１２４ｆは、それぞれ、約１．３５〜１．４８の屈折率を有し、輝度強化層１１２７と偏光層１１２９との間の、光セメント１１２８ｅ及び光セメント１１２８ｆは、それぞれ、約１．４８〜１．５２の屈折率を有し、拡散層１１２５と輝度強化層１１２７との間の、光セメント１１２６ｃ、光セメント１１２６ｄ、光セメント１１２６ｅ及び光セメント１１２６ｆは、それぞれ、約１．４８〜１．５２の屈折率を有する。
屈折率を整合させることにより、第１の変換層１１２１と第２の変換層１１２３との間、輝度強化層１１２７の間、偏光層１１２９の間、拡散層１１２５と輝度強化層１１２７との間、ならびに第２の変換層１１２３と拡散層１１２５との間に、緊密な結合が実現される。それぞれ、第１の光学機能性膜１１２及び第２の光学機能性膜１１２’の厚さを低減するために転写コーティングプロセスにより、第１の光学機能性膜１１２及び第２の光学機能性膜１１２’の個々の第１の変換層１１２１、第２の変換層１１２３、拡散層１１２５、輝度強化層１１２７、及び偏光層１１２９を結合させて一体とすることができる。
更に、両面ディスプレイモジュール１の輝度を犠牲にせずに、両面ディスプレイモジュール１の全容量を、５０％〜６０％減少させることができる。前述のこれらの実施形態においては、偏光層１１２９を含む第１の光学機能性膜１１２又は第２の光学機能性膜１１２’の全厚さは、約０．６ｍｍ〜１．４ｍｍである。それぞれの偏光層１１２９なしの、第１の光学機能性膜１１２又は第２の光学機能性膜１１２’の全厚さは、約０．４ｍｍ〜１．２ｍｍである。
【００４１】
前述のこれらの実施形態においては、端部結合方法により、それぞれ、第１の光学機能性膜１１２及び第２の光学機能性膜１１２’の第１の変換層１１２１と第２の変換層１１２３との間、ならびに、第２の変換層１１２３と拡散層１１２５の間には、空隙を留保することができる。空隙の存在は、ディスプレイの輝度又はコントラストに対する影響なしで熱膨張や熱収縮の問題を低減することができ、両面ディスプレイモジュール１の信頼性を強化することができる。
【００４２】
前述のこれらの実施形態においては、偏光層１１２９は、例えば直線偏光子、楕円偏光子又は回路偏光子等の偏光させることが可能な光学部品としてもよいが、本考案ではこれらには限定されない。
【００４３】
前述のこれらの実施形態においては、第１のディスプレイパネル１１１ａ及び第２のディスプレイパネル１１１ｂは、半透過型液晶ディスプレイパネルとしてもよい。半透過型液晶ディスプレイパネルの詳細は、２００４年２月１２日に出願の台湾特許番号Ｉ２４６６１９号、並びに、２００３年２月１８日に出願の米国特許第６９０９４８６号を参照されたい。
半透過型液晶ディスプレイパネルは、照明環境下にあってもクリアな画面を、ビューワに提示することができ、多くの電力を消費しない。更に、半透過型液晶ディスプレイパネルは、携帯型ディスプレイ、デスクトップディスプレイ又はビヒクルディスプレイに適用可能である。携帯型ディスプレイは、携帯電話、カメラ及びパネルコンピュータのうちの１つであってもよい。デスクトップディスプレイは、テレビジョン、デスクトップコンピューター及びラップトップコンピューターのうちの１つであってもよい。ビヒクルディスプレイは、サテライトナビゲーター、自動車計器板及びデータレコーダーのうちの１つであってもよいが、これらに限定されない。照明モジュールは、発光ダイオード（ＬＥＤ）、冷陰極蛍光ランプ（ＣＣＦＬ）、又は、エレクトロルミネセンス（ＥＬ）、であってもよいが、これらに限定されない。例えば、照明はＬＥＤ照明バーによって実現されてもよい。
【００４４】
前述の実施形態においては、照明モジュール１２は、両面ディスプレイ１１又は両面ディスプレイ１１’のそれぞれの一方の側に配列される。しかしながら、ディスプレイ全体の輝度を向上させるため、照明モジュール１２は、両面ディスプレイ１１又は両面ディスプレイ１１’の両辺に配列されてもよく、これに限定されない。
【００４５】
本考案を、最も実用的かつ好ましい実施形態に関して説明してきたが、本考案は開示された実施形態に限定されない。逆に、本考案は全ての変形及び類似の構造を含むような最も幅広い解釈と一致するよう、添付された実用新案登録請求の範囲の精神および範囲内に含まれる様々な変形及び類似の構成をカバーする。
【符号の説明】
【００４６】
１’  両面ディスプレイモジュール
１１  両面ディスプレイ
１１’  両面ディスプレイ
１１１ａ  第１のディスプレイパネル
１１１ｂ  第２のディスプレイパネル
１１２  第１の光学機能性膜
１１２’  第２の光学機能性膜
１１２ａ  第１の光学機能性膜
１１２ｂ  第１の光学機能性膜
１１２ｃ  第１の光学機能性膜
１１２ｄ  第１の光学機能性膜
１１２ｅ  第１の光学機能性膜
１１２ｆ  第１の光学機能性膜
１１２１  第１の変換層
１１２２ａ  空隙
１１２２ｂ  光セメント
１１２２ｃ  空隙
１１２２ｄ  光セメント
１１２２ｅ  空隙
１１２２ｆ  光セメント
１１２３  第２の変換層
１１２４ａ  空隙
１１２４ｂ  光セメント
１１２４ｃ  空隙
１１２４ｄ  光セメント
１１２４ｅ  空隙
１１２４ｆ  光セメント
１１２５  拡散層
１１２６ｃ  光セメント
１１２６ｄ  光セメント
１１２６ｅ  光セメント
１１２６ｆ  光セメント
１１２７  輝度強化層
１１２８ｅ  光セメント
１１２８ｆ  光セメント
１１２９  偏光層（分極層）
１１３’  光ガイドプレート
１１３ａ  第１の光ガイドプレート
１１３ｂ  第２の光ガイドプレート
１２  照明モジュール
１３  表示制御装置
【図１】
0003203192.tif 000003
【図２】
0003203192.tif 000004
【図３】
0003203192.tif 000005
【図４】
0003203192.tif 000006
【図５】
0003203192.tif 000007
【図６】
0003203192.tif 000008
【図７】
0003203192.tif 000009
【図８】
0003203192.tif 000010